(57)【特許請求の範囲】
【請求項１】
ユニット取付け部を有し、かつ、壁面に取付けられる横長な本体と、
前記ユニット取付け部に取付けられる各種の操作ユニットと、
複数の開口が開けられた前面部を有し、前記各開口に前記各操作ユニットの操作部を個別に露出させて前記本体に取付けられたコンソールパネルと、
このコンソールパネルの上方に位置して前記本体に横置き姿勢で取付けられたランプと、
前記前面部の上側においてこの前面部に対し前方にせり出して設けられる半透明なボトムカバー部、前記ランプの上方に設けられる透明なトップカバー部、及びこれら両カバー部にわたって設けられて前記ランプの前方に位置される半透明なフロントカバー部を有して、前記ランプを覆って設けられたランプカバーと、を具備した医療用照明装置。
【請求項２】
前記コンソールパネルが、斜め上後方に向けて斜状に延出し前記ランプから下向きに出射された光を前記ボトムカバー部に反射させる上面部を有していることを特徴とする請求項１に記載の医療用照明装置。
【請求項３】
前記フロントカバー部がその下端側程後退していることを特徴とする請求項１又は２に記載の医療用照明装置。
【請求項４】
前記上面部の後端縁が前記コンソールパネルの長手方向に真っ直ぐ延びる直線状をなしており、この後端縁と前記本体の上部との間に隙間を設けて、この隙間に前記コンソールパネルの裏側と前記ランプカバーの裏側とにわたる部材を通したことを特徴とする請求項１〜３のうちのいずれか１項に記載の医療用照明装置。
【請求項５】
前記ランプカバーが合成樹脂製であって、そのボトムカバー部に下向きに突出する突条を設けるとともに、この突条と同程度の溝幅でかつ上方に開放する溝条を前記コンソールパネルに設け、この溝条に前記突条を嵌合したことを特徴とする請求項１〜４のうちのいずれか１項に記載の医療用照明装置。
【請求項６】
前記本体の上縁と前記トップカバー部の後縁とを非連続とし、これらの間にランプカバーの内外を連通する連通間隙を設けたことを特徴とする請求項１〜５のうちのいずれか１項に記載の医療用照明装置。
【請求項７】
前記ランプにＵ字状に折り曲げられたバルブを有する片口金型蛍光ランプを使用し、このランプを前記バルブの互いに平行な管路部分が前後方向に並ぶ横置き姿勢に配置したことを特徴とする請求項１〜６のうちのいずれか１項に記載の医療用照明装置。
【請求項８】
前記ランプの上方、前方、及び下方のうち、少なくとも前記前方を覆う減光部材を、前記ランプと前記ランプカバーとの間に配置して前記本体の上部に着脱可能に設けたことを特徴とする請求項１〜７のうちのいずれか１項に記載の医療用照明装置。
【請求項９】
前記ユニット取付け部が、前記前面部の裏面に近接するように突出し、かつ、その先端部間に跨って前記各操作ユニットがねじ止めされる横長な上下一対のユニット取付け座板からなり、上側ユニット取付け部と前記ランプとの間に、ランプに対して前記上側ユニット取付け部を覆い隠すように前記上面部を配置したことを特徴とする請求項２〜８のうちのいずれか１項に記載の医療用照明装置。
【発明の詳細な説明】
【０００１】
【発明の属する技術分野】
本発明は、病室等の枕元上方の壁面に取付けて使用される医療用照明装置に関する。
【０００２】
【従来の技術】
医療用照明装置の中には、その本体の上部に病室に対する間接照明用のランプを横置き姿勢で取付けたものが提供されているが、この種のものであっても、例えばコンセント、アース端子、電源スイッチ、ナースコール、テレビ端子等の操作部をサポート金具に取付けてなる各種の操作ユニットを備えている。そして、一般的に、本体の前面には複数の開口が開けられた垂直状の前面部を有したコンソールパネルが取付けられ、その開口に個別に露出された前記各ユニットの操作部は患者等により自由に操作されるように構成されている。
【０００３】
ところで、前記ランプは本体の上部に配置されて、その上方及び前方のうち少なくとも上方はランプカバーで覆われている。そして、ランプカバーがランプの前方を覆う場合においても、そのランプ前方に位置されるフロントカバー部は、前記コンソールパネルの前面部と面一に連なるように設けられている。又、ランプカバーは、乳白色等の半透明な合成樹脂で全体を形成されていて、それにより、前記フロントカバー部を透過した照明光が眩し過ぎることを抑制し、室内にいる患者等に対する光刺激を軽減している。又、このようなランプカバーに代えて、ランプの上方から覆った部分が透明で、ランプの前方を覆った部分が遮光性を有したランプカバーも使用されている。
【０００４】
しかし、前記のようにランプカバー全体を半透明とした構成では、このカバーを上方へ透過する光量が少なく、そのため、この医療用照明装置で病室を間接照明するには、光量が不足気味である。なお、ランプに高輝度のものを使用すれば、ある程度間接照明の光量を増やすことはできるが、その反面で前記フロントカバー部の透過光量も増えて患者等への光刺激が強められる。したがって、こうした光刺激の強化を伴うことなく間接照明の光量不足気味を補うことが望まれている。
【０００５】
又、ランプの上方だけに光を透過させる構成のランプカバー、又はランプカバーがランプの上方だけを覆った構成、及び半透明のフロントカバー部を有し、このカバー部がコンソールパネルの前面部と面一である構成では、コンソールパネルの前面部を照明することができない。そのため、間接照明下において前記前面部に露出している各種操作ユニットの操作部が見ずらく、よって、その操作がしずらい。
【０００６】
【発明が解決しようとする課題】
本発明が解決しようとする課題は、患者等に対する光刺激の強化を伴うことなく間接照明のための光量を増加できるとともに、コンソールパネルの前面部での各種操作ユニットの操作がし易い医療用照明装置を得ることにある。
【０００７】
【課題を解決するための手段】
前記課題を解決するために、請求項１の発明は、ユニット取付け部を有し、かつ、壁面に取付けられる横長な本体と、前記ユニット取付け部に取付けられる各種の操作ユニットと、複数の開口が開けられた前面部を有し、前記各開口に前記各操作ユニットの操作部を個別に露出させて前記本体に取付けられたコンソールパネルと、このコンソールパネルの上方に位置して前記本体に横置き姿勢で取付けられたランプと、前記前面部の上側においてこの前面部に対し前方にせり出して設けられる半透明なボトムカバー部、前記ランプの上方に設けられる透明なトップカバー部、及びこれら両カバー部にわたって設けられて前記ランプの前方に位置される半透明なフロントカバー部を有して、前記ランプを覆って設けられたランプカバーと、を具備したものである。
【０００８】
この発明及び以下の各発明において、ランプには直管型蛍光ランプ又は請求項７に記載する片口金型蛍光ランプを使用できるとともに、ランプカバーは合成樹脂製又はガラス製とすることができる。そして、この発明及び以下の各発明において、ボトムカバー部は、これとコンソールパネルの前面とがなす角度を略直角（直角前後）にするとよく、取分け、前記前面に対して略直角状にせり出して設けることは、前記前面とボトムカバー部とがなす角度が比較的大きな鈍角となる場合に比較して、ボトムカバー部を介して前面部に照明光をより波及させ易い点で好ましい。又、この発明及び以下の各発明において、操作ユニットには、スイッチ、コンセント、アース端子、ナースコール、テレビ端子、医療ガス取出し栓、空気吸引栓等の操作部をサポート金具に取付けてなる各種の操作ユニットが仕様に応じたものが用いられる。又、この発明及び以下の各発明において、コンソールパネルは、その前面部とそれ以外の部分とが分割されて適宜な連結手段により連結されていても、或いは分割されずに一体に形成されていてもよく、しかも、前面部についても複数のパネルに分割されていても、分割されずに一体に形成されていてもよい。
【０００９】
この請求項１の発明において、ランプから上向きに出射された光は、ランプカバーの透明なトップカバー部で殆ど減衰されることなく、このカバー部を上方に透過でき、それにより間接照明用の光量を多く確保できる。更に、ランプから前方に出射された光は、ランプカバーの半透明のフロントカバー部及びボトムカバー部においていずれも拡散されながら透過するので、この照明装置を前方から視認した時の眩しさを軽減できる。しかも、ボトムカバー部はコンソールパネルの前面部に対して前方にせり出していて、この部分では既述のように光が拡散されながら透過するので、前記前面部の上側に位置したボトムカバー部によって拡散された光を、前記前面部に波及させてこの前面部を照明できる。そのため、前面部に露出している各種操作ユニットの操作部が見やすくなる。
【００１０】
請求項２の発明は、前記コンソールパネルが、斜め上後方に向けて斜状に延出し前記ランプから下向きに出射された光を前記ボトムカバー部に反射させる上面部を有していることを特徴としている。
【００１１】
この発明において、コンソールパネルが有する斜状の上面部は、その上方から入射した光を斜め下向きに反射させ、それにより、反射光の一部をボトムカバー部に透過させる。そのため、ボトムカバー部で拡散される光量が増加して、コンソールパネルの前面部をより明るく照明することができる。しかも、前記上面部で反射された光の一部はフロントカバー部の下部側にも入射されるので、フロントカバー部の下部側が上部側よりもランプから離れている場合に、フロントカバー部全体の明るさのむらを少なくできる。
【００１２】
請求項３の発明は、前記フロントカバー部がその下端側程後退していることを特徴としている。
【００１３】
この発明において、ランプカバーはコンソールパネルの前面部に対して前方にせり出しているにも拘らず、そのフロントカバー部全体が同じような出幅でせり出すことなく、下端側程後退しているので、ランプカバー全体の前方への出っ張り感を目立たなくできる。
【００１４】
請求項４の発明は、前記上面部の後端縁が前記コンソールパネルの長手方向に真っ直ぐ延びる直線状をなしており、この後端縁と前記本体の上部との間に隙間を設けて、この隙間に前記コンソールパネルの裏側と前記ランプカバーの裏側とにわたる部材を通したことを特徴としている。
【００１５】
この発明においては、コンソールパネルの裏側と前記ランプカバーの裏側とにわたる部材（例えば電線やガス配管）を、コンソールパネルの上面部の後端縁と本体の上部との間に隙間を通すことができるので、前記部材を通すための切欠き溝や孔等を、コンソールパネルの上面部に加工する必要がない。又、コンソールパネルの裏側に配置される部品が発熱する場合には、前記隙間を通る空気の流れによって前記発熱部品の放熱性を向上できる。
【００１６】
請求項５の発明は、前記ランプカバーが合成樹脂製であって、そのボトムカバー部に下向きに突出する突条を設けるとともに、この突条と同程度の溝幅でかつ上方に開放する溝条を前記コンソールパネルに設け、この溝条に前記突条を嵌合したことを特徴としている。なお、この発明において、前記突条はコンソールパネルの前面部にねじ止めしてもしなくてもよい。
【００１７】
この発明においては、ランプカバーの取付けに際し、そのボトムカバー部の下向き突条をコンソールパネルの溝条に嵌入して支持できるので、ボトムカバー側をねじ止めすることなくランプカバーの取付けを行うことができる。しかも、突条が溝条で覆い隠されるので、この突条の先端縁がうねっていてもそれが視認されることがないとともに、ランプカバーのボトムカバー部全体に反りを生じていても、それを溝条によって矯正しつつランプカバーを取付けることができる。
【００１８】
請求項６の発明は、前記本体の上縁と前記トップカバー部の後縁とを非連続とし、これらの間にランプカバーの内外を連通する連通間隙を設けたことを特徴としている。
【００１９】
この発明においては、連通間隙に相当する分だけ、本体又はランプカバーの材料使用量を少なくできるとともに、この連通隙間を通る空気の流れによってランプカバーの裏側に配置されているランプの放熱性を向上できる。
【００２０】
請求項７の発明は、前記ランプにＵ字状に折り曲げられたバルブを有する片口金型蛍光ランプを使用し、このランプを前記バルブの互いに平行な管路部分が前後方向に並ぶ横置き姿勢に配置したことを特徴としている。
【００２１】
この発明においては、そのランプの種類と使用姿勢とにより、上下方向への出射光量の方を前方への出射光量よりも多くできるので、間接照明に使用される上方への光量、及びコンソールパネルの前面部を照明するボトムカバー部への光量も増やすことができる反面、フロントカバー部を照明する光量は増加しないので、ランプの輝度が高いにも拘らず眩しさを抑制できる。
【００２２】
請求項８の発明は、前記ランプの上方、前方、及び下方のうち、少なくとも前記前方を覆う減光部材を、前記ランプと前記ランプカバーとの間に配置して前記本体の上部に着脱可能に設けたことを特徴としている。この発明において減光部材には、例えば乳白色の拡散透光板やパンチングメタル等を用いることができるが、パンチングメタルを用いることはランプの熱により変形や変質しない点で優れている。
【００２３】
この発明においては、ランプカバーのフロントカバー部とランプとの間で減光部材により、ランプからフロントカバー部に入射しようとする光を減衰できるので、フロントカバー部の厚みを増すことなく、フロントカバー部を視認した際の眩しさを抑制できる。そして、減光部材は着脱可能であるので、その使用・不使用の選択により、フロントカバー部の明るさ加減を患者等の好みに合わせることができる。
【００２４】
請求項９の発明は、前記ユニット取付け部が、前記前面部の裏面に近接するように突出し、かつ、その先端部間に跨って前記各操作ユニットがねじ止めされる横長な上下一対のユニット取付け座板からなり、上側ユニット取付け部と前記ランプとの間に、ランプに対して前記上側ユニット取付け部を覆い隠すように前記上面部を配置したことを特徴としている。
【００２５】
この発明においては、前方に突出するユニット取付け座板の先端部に各種操作ユニットを取付けたことにより、前後方向の位置において各操作ユニットをランプに対して前側にずらして配置できるとともに、各操作ユニットの操作部が露出する開口を有したコンソールパネルの上面部で上側ユニット取付け部をランプに対して覆い隠すようにしたので、ランプからの光が前記開口に直接差込むことがないとともに、ランプから前記開口に至る経路が曲がっているので、開口からの光漏れを防止できる。
【００２６】
【発明の実施の形態】
以下、図１〜図６を参照して本発明の第１の実施の形態を説明する。
【００２７】
この第１実施形態に係る医療用照明装置１は、病室等の枕元上方の壁面Ａ（図４参照）に取付けて使用されるものであって、図３等に示されるように本体２と、各種の操作ユニット３〜７と、コンソールパネル８と、照明用のランプ９と、ランプカバー１０と、左右一対の側板１１と、パンチングメタル１２と、読書用ランプ１３と、ランプカバー１４とを備えている。
【００２８】
金属製の本体２は、横長な平板からなる本体基板２１の前面にねじ止めされた上下一対のユニット取付け座板２２、２３を有している。ユニット取付け部として使用される両ユニット取付け座板２２は、いずれも本体基板２１と同じく横長であり、互いに平行に設けられているとともに、その前端部（先端部）２２ａ、２３ａは互いに向かい合うように折り曲げられている。これら先端部２２ａ、２３ａの夫々には図５に示されるように所定間隔毎にねじ孔２４が開けられているとともに、各ねじ孔２４の近くに位置決め用のダボ２５が前方に突出するように形成されている。
【００２９】
又、図３に示されるように本体基板２１の長手方向両端には夫々側板連結用のブラケット２６が取付けられているとともに、本体基板２１の長手方向両端部寄りには、上下のユニット取付け座板２２、２３を間に置いてパネル取付け用のブラケット２７が夫々取付けられている。更に、本体基板２１には、上側ユニット取付け座板２２より上方に位置して、一対のブラケット２８と、これらブラケット２８間に配置されるランプホルダ２９とが夫々取付けられている。両ブラケット２８は上方に突出した第１支持部２８ａと、前方に突出した第２支持部２８ｂとを有している。一方のブラケット２８にはランプソケット３０が取付けられている。又、本体基板２１には、下側ユニット取付け座板２３の下方に位置して、相対向する一対のランプソケット３１が取付けられている。
【００３０】
ランプソケット３０は、後述のＵ字状蛍光ランプ９が備える口金部が着脱される片口金用のものである。このソケット３０は、図３に示すように前記口金部を着脱するための開放面３０ａを有しており、この開口面３０ａを上に向けた姿勢で前記一方のブラケット２８にねじ止めされている。一対のランプソケット３０は、直管型蛍光ランプからなる前記読書用ランプ１３を着脱可能に支持するものである。
【００３１】
なお、図３及び図４中３３、３４は端子台、３５は放電灯用安定器、３６はその他の電気機器であって、これらはいずれも上側ユニット取付け座板２２の上方に位置して本体基板２１に取付けられている。
【００３２】
前記操作ユニット３〜７のうち、操作ユニット３、４はいずれもアース付きのコンセントユニットであり、操作ユニット５は医療用のアース端子ユニットであり、操作ユニット６はランプ９、１３を点灯・消灯するスイッチユニットであり、操作ユニット７はテレビ端子ユニットである。これらのユニット３〜７は、操作部としてのコンセント部３ａ，４ａ、同アース端子部を５ａ、同スイッチ部６ａ、同テレビ端子部７ａを、サポート金具３ａ〜７ａに個別に取付けて形成されている。サポート金具３ｂ〜７ｂは、図６に示す金具７ｂで代表して示すように略四角枠状をなし、その長手方向両端部に小判形状の長孔３７とねじ孔３８とを夫々有しているとともに、長手方向両端部の左右両側に夫々凹み３９ａ、３９ｂを有している。
【００３３】
これら操作ユニット３〜７は、いずれも上下取付け座板２２、２３の先端部２２ａ、２３ａにわたって跨設され、これら先端部２２ａ、２３ａのねじ孔２４に長孔３８を通って前面側からねじ込まれたねじ４０で固定されている。この固定にあたり、サポート金具７ｂで代表するようにサポート金具３ｂ〜７ｂは、その幅方向一側の例えば凹み３９ａを前記ダボ２５に押し当てることにより位置決めされ、この位置決め下においてねじ孔２４へのねじ４０のねじ込みが行われる。そのため、各操作ユニット３〜７を上下ユニット取付け座板２２、２３に固定する際に、これらユニット３〜７が自由にふらついて長孔３７とねじ孔２４との位置が合わなくなることが防止され、したがって、各操作ユニット３〜７を本体２に容易に取付けることができる。
【００３４】
前記コンソールパネル８は、図２〜図４に示すように垂直壁状の前面部８ａと、この前面部８ａの上縁に連結された上面部８ｂと、前面部８ａの下縁に連結された下面部８ｃとから形成されている。これら３部材８ａ〜８ｃはいずれもアルミニュームの押出し型材からなり、その表面はコンソールパネル８として組立てた後に白色系塗料で塗装されている。前面部８ａの上下両縁はいずれも裏面側に向けて断面Ｌ字状をなして折り曲げられており、又、上面部８ｂの下縁及び下面部８ｃの上縁は、いずれも前面部８ａの上又は下の縁を包囲できる溝を作って曲げられており、上面部８ｂの下縁及び下面部８ｃの上縁の溝条に、前面部８ａの上縁又は下縁を夫々端面方向から圧入気味にスライドさせながら差込むことによって、前記３部材８ａ〜８ｃはねじ部品などの固定部品を要することなく互いに連結されている。
【００３５】
以上のようにコンソールパネル８を３部品としたことにより、後述の開口４５をコンソールパネル８にプレス型で打抜き加工する際に、前記３部品が一体成形されている場合に比較して、ワークとして断面形状が大きなパネル８全体を取り扱うことなく、平板状の前面部８ａのみを取り扱えばよい。そのため、孔開け加工に要するパンチのストロークが小さくなり金型を小型にでき金型費が低減されるとともに、ワークの取扱いがよくなる等により、低コストで孔明けができる点で優れている。
【００３６】
コンソールパネル８の前面部８ａには、前記各種ユニット３〜７に個別に対応して、その操作部３ａ〜７ａを露出させるための矩形状の開口４５が複数開けられているとともに、患者の名札が出し入れ可能に収容される名札入れ部１５が設けられている。コンソールパネル８の上面部８ｂは、斜め後方に向けて斜状に延出して形成されているとともに、その後端縁８ｂｆはコンソールパネル８の長手方向に真っ直ぐ伸びる直線状をなしており、切欠き溝等を有していない。この上面部８ｂの根元側、つまり、前記前面部８ａ側には溝条４６が形成されている。この溝条４６は上方に開放しているとともに、その溝幅はランプカバー１０の後述する突条１０ｄの厚みと同程度に定められている。
【００３７】
コンソールパネル８の下面部８ｃは、やや水平に近い角度で斜めに折り曲げられている。この下面部８ｃはその後端縁が前記壁面Ａに当る程度に後方に延びているのに対して、上面部８ｂの後縁縁８ｂｆは本体基板２１の前側にこの基板２１に接することなく位置されるような長さで後方に延びている。下面部８ｃにはその長手方向両端部を除いて切り欠かれ、この切り欠き部８co（図２参照）は前記ランプカバー１４によって閉じられている。ランプカバー１４は乳白色の合成樹脂板の両端部に補強板を取付けた構成であり、その補強板を通る図示しないねじを介して下面部８ｃに下側から着脱可能に取付けられるようになっている。このカバー１４によって覆い隠される前記読書用ランプ１３は、ランプカバー１４を取外した状態で前記切り欠き部内に露出される前記ランプソケット３１に着脱可能に支持される。このランプ１３はコンソールパネル８の下方のみを照明する。
【００３８】
コンソールパネル８は、前記上下ユニット取付け座板２２、２３、端子台３２、３３、放電灯安定器３４、電気機器３５、及びブラケット２７を覆い隠して本体２の前面に被されているとともに、その上面部８ｂ及び下面部８ｃを通ってブラケット２７にねじ込まれる図示しないねじを介して取外し可能に固定されている。この固定状態は図４に示されており、各開口４５の夫々には対応する操作ユニット３〜７の操作部３ａ〜７ａ（コンセント部３ａ及び４ａ、アース端子部５ａ，スイッチ部６ａ、テレビ端子部７ａ）が、前側から操作できるように個別に露出されているとともに、上面部８ｂの後端縁８ｂｆは本体基板２１の上部との間に隙間Ｇ１を形成して配置されている。この隙間Ｇはコンソールパネル８の長手方向に連続しているとともに、そこには放電灯安定器３５とランプソケット３０とを接続する電線４７が通されている。
【００３９】
このようにコンソールパネル８の上面部８ｂの後端縁８ｂｆと本体２の上部との間に隙間Ｇ１を形成して、この隙間Ｇ１に、コンソールパネル８の裏側に配置された放電灯安定器３５と後述のランプカバー１０の裏側に配置されたランプソケット３０とにわたる電線４７を通したので、電線４７を通すための切欠き溝や孔等を、上面部８ｂに加工する必要がない。そのため、コンソールパネル８の加工費用を低減でき、コストダウンを図ることができる。しかも、コンソールパネル８の裏側に配置された放電灯安定器３５は、その使用時に発熱を伴うが、その放熱に伴い前記隙間Ｇ１を通る空気の流れを生起できるので、コンソールパネル８の裏側に熱がこもることが抑制されて、放電灯安定器３５の放熱性を向上できる。
【００４０】
図3に示すように前記照明用のランプ９はＵ字状に折り曲げられた片口金片蛍光ランプである。このランプ９は、そのＵ字状をなすバルブ９ａの互いに平行な管路９ｂ部分が前後方向に並ぶ姿勢でランプソケット３０に対して斜め上側から取外し可能に取付けられているとともに、その先端部側をランプホルダ２９に対しその上方から着脱可能に嵌合して本体２の上端部に配置されているランプ９はその口金部９ｃを斜め下向きにした姿勢で、この口金部９ｃをランプソケット３０に差込んでから、このソケット３０を支点として水平となるように下方へ回動させることにより、口金部９ｃをランプソケット３０にセットするとともに、バルブ９ａをランプホルダ２９に嵌合させて前記取付け姿勢に支持されるものである、又、この逆の手順を経てランプ交換の際等に取外すことができる。
【００４１】
図１、図３、図４等に示すようにランプ９を覆い隠して設けられる前記ランプカバー１０は、半透明のボトムカバー部１０ａ、透明なトップカバー部１０ｂ、半透明なフロントカバー部１０ｃを有した合成樹脂の２色形成品である。ランプ９の斜め下前方を覆って設けられるボトムカバー部１０ａは、拡散透光性の乳白色をなしており、これはコンソールパネル８の前面部８ａの上側において前方にせり出して設けられるとともに、その後縁には下向きに折り曲げられ突条１０ｄが一体に形成されている。この突条１０ｄを前記溝条４６に嵌めることにより、ボトムカバー部１０ａは略直角状に前方に突出される。
【００４２】
トップカバー部１０ｂはランプ９の上方を覆って設けられており、このカバー部１０ｂを通って病室の天井方向に向けてランプ９から上向きに出射する光を殆ど減衰させることなく透過させるようになっている。なお、図１及び図３において、トップカバー部１０ｂの領域の識別がより容易になるように、便宜的に前記領域については点線の平行斜線を付して示してある。このトップカバー部１０ｂの後縁は、補強を兼ねて下方に僅かに曲げられており、前記壁面Ａに接するようになっている。
【００４３】
ランプ９の前方を覆って設けられるフロントカバー部１０ｃは、拡散透光性の乳白色をなしており、その上縁はトップカバー部１０ｂに一体に連接され、下縁はボトムカバー部１０ａに一体に連接されている。このカバー部１０ｃは、その下端側程壁面Ａ側に後退するように湾曲されている。
【００４４】
このランプカバー１０は、その突条１０ｄをコンソールパネル８の溝条４６に上方から差込み嵌合するとともに、トップカバー部１０ｂを前記一対のブラケット２８の上向きの第１支持部２８ａ上に載せて、これら支持部２８ａにトップカバー部１０ｂを上方から通ってねじ込まれるねじで連結することにより、ランプ９を覆って取付けられる。それにより、図４等に示されるようにランプカバー１０は、そのボトムカバー部１０ａが前記前面部８ａの上側においてこの前面部８ａに対し前方にせり出すとともに、トップカバー部１０ｂの後縁を壁面Ａに接触させて配置される。この取付け状態では、壁面Ａ側にはトップカバー部１０ｂの後縁は前記本体基板２１の上縁に対して非連続に配置され、これらの間にランプカバー１０の内外を連通する連通間隙Ｇ２が形成されている。なお、本体基板２１はその裏面に突出する複数のスペーサ突起を介して壁面Ａから少し離れている。
【００４５】
したがって、連通隙間Ｇ２を通る空気の流れによってランプカバー１０の裏側に配置されているランプ９の放熱性、及び、前記隙間Ｇ１を通る放電灯安定器３４の冷却用の対流空気の外部への排出による放電灯安定器３４の放熱性も向上できる。しかも、連通間隙Ｇ１に相当する分だけ、本体基板２１又はランプカバー１０の材料使用量を少なくでき、コストダウンに寄与できる。又、以上のように取付けられたランプカバー１０は、コンソールパネル８の前面部８ａに対して前方にせり出しているにも拘らず、そのフロントカバー部１０ｂ全体が同じような出幅でせり出すことなく、下端側程後退しているので、ランプカバー１０全体の前方への出っ張り感を目立たなくできる。したがって、患者の枕元頭上に設置されたこの照明装置１が、患者に与える圧迫感を少なくできる点で優れている。しかし、本発明はフロントカバー部１０ｂ全体を同じような出幅でせり出す構成で実施することも可能である。
【００４６】
前記パンチングメタル１２は、既述のＵ字状ランプ９の輝度が直管型蛍光ランプに比較して高いことに基づき、フロントカバー部１０ｃの眩しさを必要に応じて減らすために、患者等の要請に応じてランプ９とランプカバー１０の内面との間に設置される減光部材である。このメタル１２は、例えば垂直片部１２ａと水平片部１２ｂとを有して断面Ｌ字形状に折り曲げられており、その垂直片部１２ａを前記ブラケット２８の前向きの第２支持部２８ｂに前方から取外し可能にねじ止めすることによって取付けられている。パンチングメタル１２の取付け状態は図４に示されており、ランプ９の前側及び下側を覆っており、それにより、フロントカバー部１０ｃ及びボトムカバー部１０ａ側にランプ９から出射される光を減衰して、これらカバー部１０ｃ、１０ａの眩しさを低下させるようになっている。
【００４７】
このようにパンチングメタル１２によってランプ９からフロントカバー部１０ｃ部に入射しようとする光を減衰できるので、フロントカバー部１０ｃの厚みを増すことなく、フロントカバー部１０ｃを視認した際の眩しさを抑制できる。それにより、フロントカバー部１０ｃの厚みを増して眩しさを抑制する場合のように、フロントカバー部１０ｃが黄み掛かることがなく乳白色を保ったまま眩しさを抑制できる。そして、このパンチングメタル１２はランプカバー１０を外した状態でブラケット２８に着脱可能であるので、その使用・不使用の選択により、フロントカバー部１０ｃの明るさ加減を患者等の好みに合わせることが可能である。しかも、本実施形態では、パンチングメタル１２はランプ９の上方を覆っていないため、上方向へランプ９から出射される光を減衰することはないとともに、このパンチングメタル１２を装着したままでランプ９の交換を既述の手順で行うことができる。
【００４８】
又、前記左右一対の側板１１は合成樹脂製であって、本体２及びランプカバー１０の両側開口を塞ぐ形状をなしており、上下の前記ブラケット２６にねじ込まれるねじを介して取外し可能に取付けられている。
【００４９】
前記構成の医療用照明装置１のスイッチユニット６のスイッチ部６ａを操作してランプ９を点灯させた状態では、ランプ９の上方を覆うランプカバー１０のトップカバー部１０ｂが透明であるので、ランプ９から上向きに出射された光を、殆ど減衰させることなく、このカバー部１０ｂを上方に透過させて、病室の間接照明用の光量を多く確保することができる。その一方で、ランプ９から前方に出射された光は、パンチングメタル１２を透過することに伴い減衰された後、ランプカバー１０の半透明のフロントカバー部１０ｃ及びボトムカバー部１０ａにおいていずれも拡散されながら透過するので、この照明装置１を前方から視認した時の眩しさを軽減できる。
【００５０】
特に、本実施形態では、ランプ９にＵ字状の高輝度ランプを採用するとともに、このランプ９をそのバルブ９ａの管路９ｂが前後方向に並ぶ水平な使用姿勢としたことにより、上下方向への出射光量の方を前方への出射光量よりも多くできるので、間接照明に使用される上方への光量、及び後述のようにコンソールパネル８の前面部８ａを照明するボトムカバー部１０ａへの光量を増やすことができるとともに、フロントカバー部１０ｃを照明する光量は増加しないので、ランプ９の輝度が高いにも拘らずフロントカバー部１０ｃの眩しさを抑制できる。なお、フロントカバー部１０ｃに対する減光を担うパンチングメタル１２の垂直片部１２ａのパンチ孔の密度を水平片部部１２ｂのパンチ孔の密度よりも粗くしたり、或いは垂直片部１２ａのパンチ孔の径を水平片部１２ｂのパンチ孔の径より小さくしたりする場合には、一層フロントカバー部１０ｃの眩しさを抑制できる。
【００５１】
そして、ランプカバー１０は、コンソールパネル８の前面部８ａの真上に位置してこの前面部８ａに対して前方にせり出す半透明のボトムカバー部１０ａを有していて、このカバー部１０ａにも既述のように光が拡散されながら透過するので、このボトムカバー部によって拡散された光を、コンソールパネル８の前面部８ａに波及させてこの前面部８ａを照明できる。しかも、コンソールパネル８が、斜め上後方に向けて斜状に延出した上面部８ｂによって、それに上方のランプ９から入射した光を斜め下向きに反射させて、反射光の一部をボトムカバー部１０ａに透過させることができる。そのため、ボトムカバー部１０ａで拡散される光量が増加されて、コンソールパネル８の前面部８ａをより明るく照明することができる。
【００５２】
そのため、垂直状の前面部８ａに露出している各作ユニット３〜７の操作部３ａ〜７ａ（コンセント部３ａ及び４ａ、アース端子部５ａ，スイッチ部６ａ、テレビ端子部７ａ）や患者の名札等が見やすくなるとともに、前記操作部３ａ〜７ａの操作がし易くなる。
【００５３】
更に、前記上面部８ｂで反射された光の一部はフロントカバー部１０ｃの下部側にも入射されるので、フロントカバー部１０ｃの下部側が上部側よりもランプ９から離れているにも拘らず、フロントカバー部１０ｃ全体の明るさのむらを少なくできる。
【００５４】
又、ランプ９から下方に出射された光の殆どはコンソールパネル８の上面部８ｂで遮られて、このパネル８の裏側に直接入り込むことがない。これとともに、、図４に示すように各種ユニット３〜６がランプ９に対して前側にずれたユニット取付け座板２２、２３の先端部に取付けられていて、各ユニット３〜７の操作部３ａ〜７ａが露出する開口４５が、前記上面部８ｂ及び上側ユニット取付け部２２でランプ９に対して覆い隠されているので、ランプ９の光が開口４５に直接差込むことがないとともに、ランプ９から開口４５に至る経路が曲がっているので、前記隙間Ｇ１を通ってパネル８の裏側に光が入り込んでも、開口４５で光漏れすることを防止できる。
【００５５】
図７は本発明の第２の実施の形態を示している。この実施の形態は基本的には前記第１実施形態と同様な構成であるので、同様構成部分には第１実施形態と同じ符号を付して、その構成および作用の説明を省略し、以下異なる部分について説明する。第２実施形態が第１実施形態と異なる部分は、上下のユニット取付け座板に対する各種ユニットを位置決めする構成である。
【００５６】
すなわち、この第２実施形態において、ユニット取付け座板２２、２３の夫々には、図７（Ｂ）のユニット取付け座板２２で代表して示すように位置決めピン５１が上向きに取付けられている。これらのピン５１は前記ダボに代えて設けられたものであって、各種ユニットのサポート金具（サポート金具６ｂで代表する。）が有した上下のねじ孔３８に挿通される。したがって、各種ユニットのユニット取付け座板２２、２３へのねじ止めに際して、そのねじ孔３８を位置決めピン５１に嵌合することにより、ユニット取付け座板２２、２３のねじ孔とサポート金具（サポート金具６ｂで代表する。）の長孔３７とを適正に位置決めして、各種ユニットを容易にユニット取付け座板２２、２３にわたってねじ止めすることができる。なお、以上の点以外の構成は、図７に示されない構成を含めて前記第１実施形態と同じである。
【００５７】
図８は本発明の第３の実施の形態を示している。この実施の形態は基本的には前記第１実施形態と同様な構成であるので、同様構成部分には第１実施形態と同じ符号を付して、その構成および作用の説明を省略し、以下異なる部分について説明する。第３実施形態が第１実施形態と異なる部分は、コンソールパネルの前面部の構成である。
【００５８】
すなわち、この第３実施形態において、前面部８ａは、複数の分割パネル８a1〜８a7で形成されている。分割パネル８a1は予備のパネル、分割パネル８a2は第１コンセントユニット３のコンセント３ａを露出する開口４５を有したパネル、分割パネル８a3はアース端子ユニット５のアース端子部５ａを露出する開口４５を有したパネル、分割パネル８a4はスイッチユニット６のスイッチ部６ａを露出する開口４５を有したパネル、分割パネル８a5は名札収容部１５を有したパネル、分割パネル８a6はテレビ端子ユニット７のテレビ端子７ａを露出する開口４５を有したパネル、分割パネル８a7は第２コンセントユニット４のコンセント４ａを露出する開口４５を有したパネルである。
【００５９】
このように前面部８ａを、複数の分割パネル８a1〜８a7で作ることは、夫々のパネルに対する開口４５の孔明け加工が簡単になることはもちろんのこと、使用後に例えば汚損したパネルを交換する場合に、前面部８ａ全体の交換を伴うことなく該当するパネルのみを交換できるので、低コストで補修ができるとともに、必要なユニットを増設する場合にも、最小限の予備の分割パネル８a1の交換を伴ってユニットの増設を簡単に実施でき、又、各種ユニットの配置変更に際しても分割パネルの位置を交換することで、前面部８ａ全体の交換を伴うことなく対応できる点で優れている。なお、以上の点以外の構成は、図８に示されない構成を含めて前記第１実施形態と同じである。
【００６０】
図９は本発明の第４の実施の形態を示している。この実施の形態は基本的には前記第１実施形態と同様な構成であるので、同様構成部分には第１実施形態と同じ符号を付して、その構成および作用の説明を省略し、以下異なる部分について説明する。第４実施形態が第１実施形態と異なる部分は、コンソールパネルの上面部及び下面部の構成である。
【００６１】
すなわち、この第４実施形態は、照明を伴わない医療用コンソールユニットとして実現したものであり、そのコンソールパネル８の上面部８ｂには下面部８ｃと同じものが上下逆様にして使用されている。なお、この場合に、上面部８及び下面部８ｃのいずれにおいても前記第１実施形態で採用した読書用ランプの光を透過させるための切欠きは省略されている。又、第１実施形態で採用した照明系統の各部品はいずれも省略されている。なお、以上の点以外の構成は、図９に示されない構成を含めて前記第１実施形態と同じである。
【００６２】
したがって、この第４実施形態及び第１実施形態からすれば、コンソールパネル８の前面部８ａを、第１実施形態に示す照明付き医療用コンソールユニットと第４実施形態に示す照明無しの医療用コンソールユニットとに対する共通部品として使用でき、この前面部８ａに対して連結される上面部８ｂと下面部８ｂとを、第１実施形態のように或いは第４実施形態のように選択して組合わせることで、複数の医療用コンソールユニットを低コストで作ることができる。
【００６３】
【発明の効果】
本発明は、以上説明したような形態で実施され、以下に記載されるような効果を奏する。
【００６４】
請求項１に記載の発明によれば、コンソールパネルの上方に配置されたランプから上向きに出射された光を、殆ど減衰されることなく上方に透過させるとともに、ランプから前方に出射された光を拡散させながら透過させるので、室内の患者等に対する光刺激の強化を伴うことなく間接照明のための光量を増加でき、しかも、コンソールパネルの前面部の上側において前方にせり出したランプカバーのボトムカバー部で拡散した光で前記前面部を照明するため、コンソールパネルの前面部での各種操作ユニットの操作がし易い医療用照明装置を提供できる。
【００６５】
請求項２の発明によれば、コンソールパネルの上面部での反射光により、ボトムカバー部で拡散される光量を増加させコンソールパネルの前面部をより明るく照明するため、各種操作ユニットの操作をし易くできる。
【００６６】
請求項３の発明によれば、ランプカバー全体の前方への出っ張り感が目立ちずらくなり、ランプカバーによる患者等使用者に対する圧迫感を軽減できる。
【００６７】
請求項４の発明によれば、コンソールパネルの裏側と前記ランプカバーの裏側とにわたる部材を、コンソールパネルの上面部の後端縁と本体の上部との間に通すための切欠き溝や孔等を、コンソールパネルの上面部に加工する必要がなくなり、コストダウンを図れる。
【００６８】
請求項５の発明によれば、ボトムカバー部の下向き突条の先端縁がうねっていてもそれが視認されないとともに、ランプカバーのボトムカバー部全体に反りがあっても、それを矯正してランプカバーを取付けることができるので、外観を向上できる。
【００６９】
請求項６の発明によれば、連通間隙に相当する分だけ、本体又はランプカバーの材料使用量が少なくなりコストダウンを図れるとともに、ランプカバーの裏側に配置されているランプの放熱性を向上できる。
【００７０】
請求項７の発明によれば、フロントカバー部の眩しさを抑制しつつ、間接照明に使用される上方への光量、及びコンソールパネルの前面部を照明するボトムカバー部への光量を増やすことができる。
【００７１】
請求項８の発明によれば、フロントカバー部への入射光量を少なくして、このカバー部を視認した際の眩しさを抑制できるとともに、減光部材の着脱によりフロントカバー部の明るさ加減を患者等の好みに合わせることができる。
【００７２】
請求項９の発明によれば、ランプからの光がコンソールパネルの開口に到達しないようにできるから、開口からの光漏れが防止され体裁を向上できる。
【図面の簡単な説明】
【図１】本発明の第１の実施の形態に係る医療用照明装置全体を示す斜視図。
【図２】図１の医療用照明装置全体を示す正面図。
【図３】図１の医療用照明装置全体を分解して示す斜視図。
【図４】図２中Ｚ−Ｚ線に沿って示す断面図。
【図５】図１の医療用照明装置が備える本体に一つの操作ユニットを取付けた状態を示す正面図。
【図６】図５中Ｙ部を拡大して示す正面図。
【図７】（Ａ）は本発明の第２の実施の形態を示す前記図６相当の正面図。
（Ｂ）は図７（Ａ）中Ｘ−Ｘ線に沿って示す断面図。
【図８】本発明の第３の実施の形態に係る医療用照明装置全体を示す正面図。
【図９】（Ａ）は本発明の第４の実施の形態に係る医療用照明装置全体を示す正面図。
（Ｂ）は図９（Ａ）中Ｗ−Ｗ線に沿って示す断面図。
【符号の説明】
１…医療用照明装置
２…本体
３…第１コンセントユニット（操作ユニット）
３ａ…コンセント部（操作部）
４…第２コンセントユニット（操作ユニット）
４ａ…コンセント部（操作部）
５…アース端子ユニット（操作ユニット）
５ａ…アース端子部（操作部）
６…スイッチユニット（操作ユニット）
６ａ…スイッチ部（操作部）
７…テレビ端子ユニット（操作ユニット）
７ａ…テレビ端子部（操作部）
８…コンソールパネル
８ａ…コンソールパネルの前面部
８ｂ…コンソールパネルの上面部
８ｂ…上面部の後端縁
８ｃ…コンソールパネルの下面部
９…ランプ
９ａ…ランプのバルブ
９ｂ…ランプの管路
９ｃ…ランプの口金部
１０…ランプカバー
１０ａ…ボトムカバー部
１０ｂ…トップカバー部
１０ｃ…フロントカバー部
１０ｄ…突条
１２…パンチングメタル（減光部材）
２２…上側ユニット取付け座板（ユニット取付け部）
２３…下側ユニット取付け座板（ユニット取付け部）
２２ａ、２３ａ…ユニット取付け座板の先端部
４５…開口
４６…溝条
４７…電線（隙間Ｇ１を通る部材）
Ａ…壁面
Ｇ１…隙間
Ｇ２…連通間隙
【図１】
0004016542.tif 000002
【図２】
0004016542.tif 000003
【図３】
0004016542.tif 000004
【図４】
0004016542.tif 000005
【図５】
0004016542.tif 000006
【図６】
0004016542.tif 000007
【図７】
0004016542.tif 000008
【図８】
0004016542.tif 000009
【図９】
0004016542.tif 000010